(57)【特許請求の範囲】
【請求項１】
遮光用蓋を開きカートリッジ本体内に収納した写真フィルムを巻上スプールの送り出し方向の回転で送り出す構造を有するフィルムカートリッジを組立時に予め装填するフィルム一体型カメラにおいて、前記遮光用蓋を常に閉じ方向に付勢する付勢手段と、前記遮光用蓋が開きカートリッジ本体内から出ている写真フィルムの有無を検知するフィルム検知手段と、前記写真フィルムの有のとき前記付勢手段をロックして遮光用蓋を開状態にし、一方前記写真フィルムの無のとき前記付勢手段のロックを解除して遮光用蓋を閉状態にするロック手段とを備えることを特徴とするフィルム一体型カメラ。
【請求項２】
遮光用蓋を開きカートリッジ本体内に収納した写真フィルムを巻上スプールの送り出し方向の回転で送り出す構造を有するフィルムカートリッジを組立時に予め装填するフィルム一体型カメラにおいて、前記遮光用蓋に係合する蓋閉じ部材と、この蓋閉じ部材を常に閉じ方向に付勢する蓋閉じ部材付勢手段と、前記遮光用蓋が開きカートリッジ本体内から出ている写真フィルムの有無を検知するフィルム検知レバーと、このフィルム検知レバーに連動して作動し前記蓋閉じ部材の作動を規制するロック部材と、前記フィルム検知レバーを常に前記写真フィルムに当接する方向に付勢するレバー付勢手段とを有し、前記フィルム検知レバーが前記写真フィルムに当接している状態で、前記ロック部材が前記蓋閉じ部材の閉じ方向の作動をロックし、前記写真フィルムの巻き上げにより前記フィルム検知レバーが前記写真フィルムに当接しなくなると作動し、これに連動して前記ロック部材が作動して前記蓋閉じ部材の閉じ方向の作動ロックを解除し、前記遮光用蓋を閉じるように構成したことを特徴とするフィルム一体型カメラ。
【請求項３】
前記フィルムカートリッジの巻上スプールに、巻上ノブを係合して巻上可能にし、この巻上ノブに前記蓋閉じ部材を透視可能な窓部を形成したことを特徴とする請求項２記載のフィルム一体型カメラ。
【発明の詳細な説明】
【０００１】
【産業上の利用分野】
この発明は、組立時に予めフィルムカートリッジを装填しておき、撮影毎に写真フィルムを巻き上げ、撮影済の写真フィルムを取出すフィルム一体型カメラに関するものである。
【０００２】
【従来の技術】
フィルムカートリッジには、例えば特開平６−７５３３６号等に開示されるように、遮光性を向上させるために、テレンプ等の遮光部材に代えて遮光用蓋を設け、この遮光用蓋を開きフィルム通路を開放し、フィルムカートリッジ内の巻上スプールを送り出し方向へ回転させることにより、写真フィルムをフィルムカートリッジのフィルム通路から外に送り出すものがある。
【０００３】
【発明が解決しようとする課題】
このようなフィルムカートリッジを装填したカメラでは、例えばモータを有するカメラの場合には、例えば特開平６−８２９７２に開示されるように撮影終了後にモータを駆動して遮光用蓋を閉じることができる。
【０００４】
しかし、安価なフィルム一体型カメラでは、モータを使用していないため、フィルムカートリッジを使用すると、現像所でフィルムカートリッジを取り出すときに、遮光用蓋が開いたまま取り出すと、写真フィルムがかぶってしまうので、今までの明室での取り出しはできず、暗室等の作業を強いられる。
【０００５】
この発明は、かかる点に鑑みなされたもので、請求項１乃至請求項３の発明の目的は、遮光用蓋を有するフィルムカートリッジを備え、確実に遮光用蓋を閉めることができ、現像所での手間を省くと共にフィルムかぶり等をなくすことができるフィルム一体型カメラを提供することを目的としている。
【０００６】
【課題を解決するための手段】
前記課題を解決し、かつ目的を達成するために、請求項１記載の発明は、遮光用蓋を開きカートリッジ本体内に収納した写真フィルムを巻上スプールの送り出し方向の回転で送り出す構造を有するフィルムカートリッジを組立時に予め装填するフィルム一体型カメラにおいて、前記遮光用蓋を常に閉じ方向に付勢する付勢手段と、前記遮光用蓋が開きカートリッジ本体内から出ている写真フィルムの有無を検知するフィルム検知手段と、前記写真フィルムの有のとき前記付勢手段をロックして遮光用蓋を開状態にし、一方前記写真フィルムの無のとき前記付勢手段のロックを解除して遮光用蓋を閉状態にするロック手段とを備えることを特徴としている。
【０００７】
請求項２記載の発明は、遮光用蓋を開きカートリッジ本体内に収納した写真フィルムを巻上スプールの送り出し方向の回転で送り出す構造を有するフィルムカートリッジを組立時に予め装填するフィルム一体型カメラにおいて、前記遮光用蓋に係合する蓋閉じ部材と、この蓋閉じ部材を常に閉じ方向に付勢する蓋閉じ部材付勢手段と、前記遮光用蓋が開きカートリッジ本体内から出ている写真フィルムの有無を検知するフィルム検知レバーと、このフィルム検知レバーに連動して作動し前記蓋閉じ部材の作動を規制するロック部材と、前記フィルム検知レバーを常に前記写真フィルムに当接する方向に付勢するレバー付勢手段とを有し、前記フィルム検知レバーが前記写真フィルムに当接している状態で、前記ロック部材が前記蓋閉じ部材の閉じ方向の作動をロックし、前記写真フィルムの巻き上げにより前記フィルム検知レバーが前記写真フィルムに当接しなくなると作動し、これに連動して前記ロック部材が作動して前記蓋閉じ部材の閉じ方向の作動ロックを解除し、前記遮光用蓋を閉じるように構成したことを特徴としている。
【０００８】
請求項３記載の発明は、前記フィルムカートリッジの巻上スプールに、巻上ノブを係合して巻上可能にし、この巻上ノブに前記蓋閉じ部材を透視可能な窓部を形成したことを特徴としている。
【０００９】
【作用】
請求項１乃至請求項３記載の発明では、遮光用蓋を有するフィルムカートリッジを備え、確実に遮光用蓋を閉めることができ、現像所での手間を省くと共にフィルムかぶり等をなくすことができる。
【００１０】
特に、請求項１記載の発明では、写真フィルムの有のとき付勢手段をロックして遮光用蓋を開状態にし、一方写真フィルムの無のとき付勢手段のロックを解除して遮光用蓋を閉状態にする。このように、写真フィルムが巻き上げられると、モータ等を用いることなく自動的にかつ確実に遮光用蓋を閉めることができ、現像所での手間を省くと共にフィルムかぶり等をなくすことができる。
【００１１】
また、請求項２記載の発明では、フィルム検知レバーが写真フィルムに当接している状態で、ロック部材が蓋閉じ部材の閉じ方向の作動をロックし、遮光用蓋が開いている。一方、写真フィルムの巻き上げによりフィルム検知レバーが写真フィルムに当接しなくなると作動し、これに連動してロック部材が作動して蓋閉じ部材の閉じ方向の作動ロックを解除し、遮光用蓋を閉じる。このように、写真フィルムが巻き上げられると、モータ等を用いることなく自動的にかつ確実に遮光用蓋を閉めることができ、現像所での手間を省くと共にフィルムかぶり等をなくすことができる。
【００１２】
また、請求項３記載の発明では、巻上ノブにより写真フィルムを巻き上げ、撮影が終了すると、巻上ノブを回して位置合わせを行なうことで、巻上ノブの窓部からフィルムカートリッジの蓋閉じ部材を見ることができ、容易に遮光用蓋の閉状態を確認することが可能である。また、巻上ノブによる巻上が終了しても、蓋閉じ部材の作動不良等により遮光用蓋が開状態にあると、窓部より工具等を挿入して蓋閉じ部材を作動して遮光用蓋を閉じる。
【００１３】
【実施例】
以下、この発明のフィルム一体型カメラを図面に基づいて詳細に説明する。図１はフィルムカートリッジの斜視図、図２はフィルムカートリッジの遮光用蓋を閉じた状態の断面図、図３はフィルムカートリッジの遮光用蓋を開いた状態の断面図、図４はフィルムカートリッジの写真フィルムと巻取スプールとを係止する状態の斜視図、図５はフィルムカートリッジの写真フィルムと巻取スプールとを係止した状態の斜視図である。
【００１４】
フィルムカートリッジ１は、カートリッジ本体２と、巻上スプール３及び巻上スプール３に巻き付けた写真フィルムＦと、遮光用蓋４とから構成され、組立時に予めフィルム一体型カメラに装填しておくものである。カートリッジ本体２には、写真フィルムＦを送り出したり巻き込むためのフィルム通路５が形成され、このフィルム通路５は遮光用蓋４によって開閉される。フィルム通路５の奥には分離爪６が設けられ、巻上スプール３を送り出し方向に回転してこれとともに写真フィルムＦが回転するときに、写真フィルムＦの先端部Ｆ１を分離してフィルム通路５側へ導く。巻上スプール３には写真フィルムＦが乳剤面を内側にして巻き付けられ、写真フィルムＦの後端部Ｆ２は、巻上スプール３のスリット３ａの爪部３ｂに係止されている。
【００１５】
遮光用蓋４は、カートリッジ本体２に写真フィルムＦの幅方向に回転自在に嵌め込まれており、遮光用蓋４の一端にはキー７が形成されている。キー７は、カートリッジ本体２に組み込まれた状態で、カートリッジ本体２の側面に露出しており、キー７は遮光用蓋開閉部材８によって回転される。
【００１６】
このフィルムカートリッジ１は、末使用状態では、図２に示すように写真フィルムＦはその先端部Ｆ１までカートリッジ本体２に巻き込まれている。この状態では遮光用蓋４は閉止位置にあり、フィルム通路５が遮光用蓋４によって遮蔽され、遮光用蓋４は図示しない付勢手段等により閉止位置に保持される。
【００１７】
フィルムカートリッジ１をフィルム一体型カメラに装填する場合には、例えば暗室にてフィルムカートリッジ１のキー７に遮光用蓋開閉部材８を係合し、これを送り出し方向に回転させる。これにより図３に示すように、遮光用蓋４が回転してフィルム通路５を開放し、遮光用蓋４に設けた一対の突起４ａがカートリッジ本体２の凹部２ａに入り込むことで保持される。
【００１８】
次に、図３に示すように、巻上スプール３を送り出し方向に回転させると、写真フィルムＦが回転し、その先端部Ｆ１が分離爪６によって分離され、フィルム通路５ヘと向けられ、巻上スプール３の回転とともに写真フィルムＦの先端部Ｆ１はフィルム通路５に向かって送られ、図４に示すように、フィルム通路５から外部へ送り出される。そして、図５に示すように、写真フィルムＦの先端部Ｆ１をフィルム一体型カメラの巻取スプール９のスリット９ａに挿入し、パーフォレーションＦ３を爪部９ｂに係止し、この巻取スプール９に係止されたフィルムカートリッジ１をフィルム一体型カメラへ装填する。
【００１９】
このように、フィルムカートリッジ１は、組立時に予めフィルム一体型カメラに装填しておくものであり、カートリッジ本体２内に収納した先端部までパーフォレーションＦ３を有する写真フィルムＦを巻上スプール３の送り出し方向の回転で送り出す構造を有している。
【００２０】
次に、フィルムカートリッジ１が装填されるフィルム一体型カメラを、図６乃至図１０に基づいて説明する。図６はフィルム一体型カメラの正面図、図７はフィルム一体型カメラの平面図、図８はフィルム一体型カメラの後カバーを開いた状態を示す図、図９は図８のＩＸ−ＩＸ線に沿う断面図、図１０は写真フィルムを巻き取る状態を示す図である。
【００２１】
このフィルム一体型カメラ１１は、写真フィルムＦが装填された状態で市販に供される簡易なカメラで、写真フィルムＦがカメラの組立工程で装填され、ユーザーの写真フィルムＦの装填や巻き戻し等の操作が不要になり、ユーザーは直ちに撮影することができる。
【００２２】
このフィルム一体型カメラ１１は、本体１２の前後に前カバー１３と後カバー１４とを組み付けて構成され、前側中央には撮影レンズ１５が設けられ、撮影レンズ１５の上方位置にはファインダー１６が設けられ、ファインダー１６の近傍にはストロボ発光窓１７が設けられている。
【００２３】
ストロボ発光窓１７は横長に配置され、撮影レンズ１５から離すことで、ストロボ発光が撮影に悪影響しないようにしている。フィルム一体型カメラ１１の右側にはグリップ部１８が設けられ、グリップ部１８の上部にはレリーズボタン１９が設けられている。また、グリップ部１８の上部の切欠１８ａからは巻き上げノブ２０の一部が露出しており、この巻き上げノブ２０を回転することで撮影済の写真フィルムＦが巻き上げられる。
【００２４】
本体１２の中央には、撮影枠２１が設けられ、この撮影枠２１を挟んで左右の一方にフィルム収納室２２が、他方に巻上室２３が設けられている。また、フィルム収納室２２に近接して電池室２４が設けられ、この電池室２４に紙面の表方向から電池２５が収納される。
【００２５】
本体１２の撮影枠２１には保持枠２６が組み付けられ、保持枠２６には撮影レンズ１５が組み込まれたレンズ枠２７が組み付けられている。保持枠２６とレンズ枠２７との間にセクター２８が組み付けられている。セクター２８は、レリーズボタン１９を押すと、遮光用蓋機構によって作動し、撮影レンズ１５の光路Ｌを開閉し、これにより写真フィルムＦを露光する。
【００２６】
撮影枠２１は、写真フィルムＦの撮影範囲を規定し、撮影枠２１には、別体に形成した画面寸法を画定するために遮光枠３０が光密に係合して取り付けられている。遮光枠３０の内側には光を遮光するためのリブ３０ａが設けられ、このリブ３０ａにより他の画面に影響を及ぼす光線を遮断して光の侵入や光の漏れを防止する。
【００２７】
遮光枠３０の両側部３０ｂ，３０ｃには、図８に示すように係合凹部３０ｄ，３０ｅが係合され、一方の係合凹部３０ｄはフィルム収納室２２の壁３１に形成された係合凸部３１ａに嵌合され、他方の係合凹部３０ｅは巻上室２３の壁３２に形成された係合凸部３２ａに嵌合し、着脱可能に取り付けられている。遮光枠３０の一方の側部３０ｂが壁３１に連接されてフィルム収納室２２の一部を構成し、遮光枠３０の他方の側部３０ｃが壁３２に連接されて巻上室２３の一部を構成している。
【００２８】
このように、遮光枠３０が着脱可能になっており、画面寸法の異なる遮光枠と交換することで、フルサイズ、パノラマサイズ、ハイビジョンサイズ等の撮影が可能である。また、遮光枠３０によりフィルム収納室２２の一部を構成すると共に、巻上室２３の一部を構成しており、撮影枠２１とフィルム収納室２２や巻上室２３との距離を短くして小型化し、しかもフィルム収納室２２や巻上室２３側への光の侵入や光の漏れを防止することができる。
【００２９】
フィルム収納室２２には、写真フィルムＦの先端部Ｆ１を係合した巻取スプール９が装填され、巻上室２３には写真フィルムＦを収納したカートリッジ本体２が装填される。このように、暗室内で、フィルムカートリッジ１のカートリッジ本体２の遮光用蓋４を開きフィルム通路５を開放し、巻上スプール３の送り出し方向の回転によりカートリッジ本体２内に収納した写真フィルムＦをフィルム通路５から送り出し、この写真フィルムＦの先端部Ｆ１を巻取スプール９に係合させ、さらにこの巻取スプール９に写真フィルムＦの先端部Ｆ１を係合させたフィルムカートリッジ１をフィルム一体型カメラ１１に装填する。
【００３０】
この装填した状態で、図１０に示すように、例えばモータ５０で回転する巻上部材５１を巻取スプール９に係合させ、巻取スプール９を回転して写真フィルムＦの巻取を行ない、撮影毎に写真フィルムＦを巻き上げ可能にする。
【００３１】
遮光枠３０の上側にはスプロケット３５が回動可能に設けられ、このスプロケット３５は写真フィルムＦのパーフォレーションＦ３と係合し、写真フィルムＦの巻上によって回転して不図示のカウンタを回転して撮影駒枚数を表示する。
【００３２】
遮光枠３０の上下には、写真フィルムＦの巻上をガイドするレール３０ｆ，３０ｇが設けられ、このレール３０ｆ，３０ｇのフィルム収納室２２側の一部に、写真フィルムＦのパーフォレーションＦ３より大きいガイド部３０ｈ，３０ｉが形成されている。
【００３３】
そして、ガイド部３０ｈ，３０ｉと同じ高さ又はそれより少し低い面でガイド部３０ｈ，３０ｉをつなぐ凸部３０ｊがあり、写真フィルムＦとの隙間を少なくすることによりフィルム収納室２２への光の侵入を防いでいる。
【００３４】
また、レール３０ｆ，３０ｇの巻上室２３側の一部に写真フィルムＦのパーフォレーションＦ３より大きいガイド部やガイド部をつなぐ凸部を形成してもよく、この場合にはガイド部及び凸部により巻上室１３側への光の侵入や光の漏れを防止する。
【００３５】
また、写真フィルムＦのパーフォレーションＦ３にガイド部３０ｈ，３０ｉが入り込むことがなく、写真フィルムＦの位置が一定でピント位置がずれることが防止される。また、巻上時に写真フィルムＦのパーフォレーションＦ３にガイド部３０ｈ，３０ｉが引っかかることがなく、円滑に巻き上げられる。
【００３６】
図１１乃至図１３はフィルムカートリッジの遮光用蓋を閉じる機構を示す図であり、図１１のフィルムカートリッジの装填部の平面図、図１２は後カバーを外した状態のフィルムカートリッジの装填部の側面図、図１３は図１１のＸＩＩＩ−ＸＩＩＩ線に沿う断面図である。
【００３７】
フィルム一体型カメラ１１には、遮光用蓋４を常に閉じ方向に付勢する付勢手段Ａと、遮光用蓋４が開きカートリッジ本体２内から出ている写真フィルムＦの有無を検知するフィルム検知手段Ｂと、写真フィルムＦの有のとき付勢手段Ａをロックして遮光用蓋４を開状態にし、一方写真フィルムＦの無のとき付勢手段Ａのロックを解除して遮光用蓋４を閉状態にするロック手段Ｃとを備えている。
【００３８】
即ち、フィルムカートリッジ１の遮光用蓋４のキー７は、蓋閉じ部材６０の軸部６０ａに係合され、この軸部６０ａには内側つば部６０ｂが形成され、軸部６０ａを本体１２の支持部８０に挿通し、内側つば部６０ｂを支持部８０の凹部８０ａに支持して回動可能に設けられている。軸部６０ａの頭部には係合溝６０ｃが形成され、さらに頭部には外側つば部６０ｄが係合されている。蓋閉じ部材６０の軸部６０ａにはコイルスプリング６１が設けられ、このコイルスプリング６１の一端部６１ａは支持部８０の突起８０ｂに係止され、他端部６１ｂは内側つば部６０ｂの突起６０ｅに係止され、蓋閉じ部材６０はコイルスプリング６１により常に閉じ方向に付勢され、このコイルスプリング６１が蓋閉じ部材付勢手段を構成している。この蓋閉じ部材付勢手段及び蓋閉じ部材６０により遮光用蓋４を常に閉じ方向に付勢する付勢手段Ａが構成される。
【００３９】
本体１２の軸部８１にはフィルム検知レバー６２が回動可能に設けられ、このフィルム検知レバー６２のフィルム検知部６２ａは、遮光用蓋４が開きカートリッジ本体２内から出ている写真フィルムＦに当接するようになっており、写真フィルムＦの有無を検知する。フィルム検知レバー６２の軸部６２ｂにはコイルスプリング６３が設けられ、このコイルスプリング６３の一端部６３ａは本体１２の凸部８２に係止され、他端部６３ｂはフィルム検知レバー６２の段部６２ｃに係止されている。フィルム検知レバー６２はコイルスプリング６３により常に写真フィルムＦに当接する方向に付勢され、コイルスプリング６３はフィルム検知レバー６２を常に写真フィルムＦに当接する方向に付勢するレバー付勢手段を構成している。
【００４０】
フィルム検知レバー６２のフィルム検知部６２ａは、写真フィルムＦのパーフォレーションＦ３の位置に当接するようになっており、露光部以外の位置に当接することで画像に傷が付くことがないようにしている。また、フィルム検知部６２ａは、写真フィルムＦのパーフォレーションＦ３の外形より大きく形成され、フィルム検知部６２ａがパーフォレーションＦ３に嵌まり込まないようになっている。
【００４１】
フィルムカートリッジ１の写真フィルムＦは、後カバー１３に形成されたリブ状のフィルムガイド８３に案内されて巻き上げられ、写真フィルムＦの先端部Ｆ１がフィルムガイド８３から外れると、フィルム検知レバー６２が矢印方向に作動する。このフィルム検知レバー６２により遮光用蓋４が開きカートリッジ本体２内から出ている写真フィルムＦの有無を検知するフィルム検知手段Ｂが構成される。
【００４２】
フィルム検知レバー６２にはロック部材６４が一体に形成され、このロック部材６４は蓋閉じ部材６０の外側つば部６０ｄに一体に形成したストッパ６５に係合され蓋閉じ部材６０の作動を規制する。
【００４３】
ロック部材６４はフィルム検知レバー６２に連動して作動し、フィルム検知レバー６２のフィルム検知部６２ａが写真フィルムＦに当接している状態では、ロック部材６４がストッパ６５に係合して蓋閉じ部材６０の閉じ方向の作動をロックし、この状態ではフィルムカートリッジ１の遮光用蓋４が開いており、写真フィルムＦの巻上が行なわれる。
【００４４】
写真フィルムＦの巻き上げが終了して、先端部Ｆ１がフィルムガイド８３から外れてフィルム検知レバー６２が矢印方向に作動してフィルム検知部６２ａが写真フィルムＦに当接しなくなると、これに連動してロック部材６４が作動し、ストッパ６５と係合しなくなり、蓋閉じ部材６０の閉じ方向の作動ロックが解除される。これにより、蓋閉じ部材６０はコイルスプリング６３により、閉じ方向に作動して遮光用蓋４を閉じる。
【００４５】
このロック部材６４及びストッパ６５により、写真フィルムＦの有のとき付勢手段Ａをロックして遮光用蓋４を開状態にし、一方写真フィルムＦの無のとき付勢手段Ａのロックを解除して遮光用蓋４を閉状態にするロック手段Ｃが構成される。
【００４６】
このように、フィルム検知レバー６２が写真フィルムＦに当接している状態で、ロック部材６４がストッパ６５に係合して蓋閉じ部材６０の閉じ方向の作動をロックし、遮光用蓋４が開いている。一方、写真フィルムＦの巻き上げによりフィルム検知レバー６２が写真フィルムＦに当接しなくなると矢印方向へ作動し、これに連動してロック部材６４が作動してストッパ６５との係合が外れて蓋閉じ部材６０の閉じ方向の作動ロックを解除し、遮光用蓋４を閉じる。このように、写真フィルムＦが巻き上げられると、モータ等を用いることなく自動的にかつ確実に遮光用蓋４を閉めることができ、現像所での手間を省くと共にフィルムかぶり等をなくすことができる。
【００４７】
また、巻上ノブ２０には、蓋閉じ部材６０を透視可能な窓部２０ａが形成されている。フィルム一体型カメラ１１からフィルムカートリッジ１を取り出す時に、後カバー１３に形成された覗き窓９０から内部を覗き、巻上ノブ２０を回して窓部２０ａの位置合わせを行ない、フィルムカートリッジ１の蓋閉じ部材６２を見ることができ、容易に遮光用蓋４の閉状態を確認することが可能である。蓋閉じ部材６０の軸部６０ａの頭部に形成した係合溝６０ｃが写真フィルムＦの搬送方向を向いている時には開き状態であり、写真フィルムＦの搬送方向に対して直交する方向を向いている時には閉じ状態である。
【００４８】
また、巻上ノブ２０による巻上が終了しても、蓋閉じ部材６０の作動不良等により遮光用蓋４が開き状態にあると、後カバー１３に形成された覗き窓９０から巻上ノブ２０の窓部２０ａを介して工具等を挿入して蓋閉じ部材６０を作動して遮光用蓋４を閉じる。
【００４９】
【発明の効果】
前記したように、請求項１記載の発明は、写真フィルムの有のとき付勢手段をロックして遮光用蓋を開状態にし、一方写真フィルムの無のとき付勢手段のロックを解除して遮光用蓋を閉状態にするから、写真フィルムが巻き上げられると、モータ等を用いることなく自動的にかつ確実に遮光用蓋を閉めることができ、現像所での手間を省くと共にフィルムかぶり等をなくすことができる。
【００５０】
また、請求項２記載の発明は、フィルム検知レバーが写真フィルムに当接している状態で、ロック部材が蓋閉じ部材の閉じ方向の作動をロックし、遮光用蓋が開き、一方写真フィルムの巻き上げによりフィルム検知レバーが写真フィルムに当接しなくなると作動し、これに連動してロック部材が作動して蓋閉じ部材の閉じ方向の作動ロックを解除し、遮光用蓋を閉じるから、写真フィルムが巻き上げられると、モータ等を用いることなく自動的にかつ確実に遮光用蓋を閉めることができ、現像所での手間を省くと共にフィルムかぶり等をなくすことができる。
【００５１】
また、請求項３記載の発明では、巻上ノブにより写真フィルムを巻き上げ、撮影が終了すると、巻上ノブを回して位置合わせを行なうことで窓部からフィルムカートリッジの蓋閉じ部材を見ることができ、容易に遮光用蓋の閉状態を確認することが可能である。また、巻上ノブによる巻上が終了しても、蓋閉じ部材の作動不良等により遮光用蓋が開状態にあると、窓部より工具等を挿入して蓋閉じ部材を作動して遮光用蓋を閉じる。
【図面の簡単な説明】
【図１】フィルムカートリッジの斜視図である。
【図２】フィルムカートリッジの遮光用蓋を閉じた状態の断面図である。
【図３】フィルムカートリッジの遮光用蓋を開いた状態の断面図である。
【図４】フィルムカートリッジの写真フィルムと巻取スプールとを係止する状態の斜視図である。
【図５】フィルムカートリッジの写真フィルムと巻取スプールとを係止した状態の斜視図である。
【図６】フィルム一体型カメラの正面図である。
【図７】フィルム一体型カメラの平面図である。
【図８】フィルム一体型カメラの後カバーを開いた状態を示す図である。
【図９】図８のＩＸ−ＩＸ線に沿う断面図である。
【図１０】写真フィルムを巻き取る状態を示す図である。
【図１１】フィルムカートリッジの装填部の平面図である。
【図１２】後カバーを外した状態のフィルムカートリッジの装填部の側面図である。
【図１３】図１１のＸＩＩＩ−ＸＩＩＩ線に沿う断面図である。
【符号の説明】
１  フィルムカートリッジ
２  カートリッジ本体
３  巻上スプール
４  遮光用蓋
９  巻取スプール
１１  フィルム一体型カメラ
Ａ  付勢手段
Ｂ  フィルム検知手段
Ｃ  ロック手段
Ｆ  写真フィルム
【図１】
0003573507.tif 000002
【図２】
0003573507.tif 000003
【図３】
0003573507.tif 000004
【図４】
0003573507.tif 000005
【図５】
0003573507.tif 000006
【図６】
0003573507.tif 000007
【図７】
0003573507.tif 000008
【図８】
0003573507.tif 000009
【図９】
0003573507.tif 000010
【図１０】
0003573507.tif 000011
【図１１】
0003573507.tif 000012
【図１２】
0003573507.tif 000013
【図１３】
0003573507.tif 000014